(57)【要約】【課題】摩耗や焼き付きを抑制して耐久性を向上するに好適なチェーン式無段変速機を提供する。【解決手段】金属チェーン１３と、この金属チェーン１３が巻き掛けられるＶ溝を有する一対のプーリ１１，１２とから成り、Ｖ溝を画成するこれらプーリ１１，１２のシーブ面１１ａ，１２ｂの間隔を変更することにより、無段変速が可能なチェーン式無段変速機１０である。そして、金属チェーン１３が摩擦接触する対向シーブ面１１ｂ，１２ｂのそれぞれ、内周側から外周側に向かい螺旋状をなす複数の条溝２１を設けるようにした。【選択図】図６
2016008680.tif 000002
【特許請求の範囲】
【請求項１】
チェーンと、このチェーンが巻き掛けられるＶ溝を有する一対のプーリとから成り、Ｖ溝を画成するこれらプーリのシーブ面の間隔を変更することにより、無段変速が可能なチェーン式無段変速機において、
前記チェーンが摩擦接触する前記シーブ面のそれぞれ、内周側から外周側に向かい螺旋状をなす複数の条溝が設けられることを特徴とするチェーン式無段変速機。
【請求項２】
隣接する前記条溝の間隔は、前記シーブ面に対する前記金属チェーンのプーリ径方向接触幅よりも大きく設定されることを特徴とする請求項１に記載のチェーン式無段変速機。
【請求項３】
隣接する前記条溝の間の凸部に、前記条溝の開口縁へ向かうにつれ、該条溝の底部に接近する曲面を設けたことを特徴とする請求項１または請求項２に記載のチェーン式無段変速機。
【請求項４】
前記条溝は、前記シーブ面の外周縁まで延在され、外周縁における端部が開放されていることを特徴とする請求項１から請求項３のいずれか一つに記載のチェーン式無段変速機。
【発明の詳細な説明】
【技術分野】
【０００１】
本発明は、金属チェーンと、この金属チェーンを無段変速可能に巻き掛けしたＶ溝プーリとから成るチェーン式無段変速機に関するものである。
【背景技術】
【０００２】
チェーン式無段変速機は、金属チェーンをプーリのＶ溝に掛け渡して動力伝達可能としている。そして、この動力伝達中に、プーリのＶ溝を構成するシーブ面同士の間隔を変更してＶ溝の溝幅を変更することにより、プーリに対する金属チェーンの巻き掛け径を連続的に変化させ、無段変速が可能となるよう構成している（特許文献１参照）。
【０００３】
金属チェーンは、多数のリンク板を順次、その両端におけるピン挿通孔内のピンで数珠繋ぎに連結して連続円環状に構成する。そして、各ピンの両端面は、プーリのＶ溝を構成する対向シーブ面と接触するよう傾斜させ、当該ピンの傾斜した両端面が対向シーブ面と摩擦接触することにより上記の動力伝達を可能ならしめる。
【０００４】
よって、チェーン式無段変速機の伝動効率を向上させるためには、ピンの傾斜した両端面とプーリの対向シーブ面との間における摩擦係数を大きくすることが肝要である。
【０００５】
このために、特許文献１では、プライマリプーリおよびセカンダリプーリに対する金属チェーンの巻き掛け円弧径が同じになるプーリ比１の巻き掛け状態において、金属チェーンの巻き掛け円弧よりも内周側のシーブ面領域に多数の円周条溝を設けるようにしている。
【先行技術文献】
【特許文献】
【０００６】
【特許文献１】特開２０１２−２５１５７８号公報
【発明の概要】
【発明が解決しようとする課題】
【０００７】
しかしながら、上記従来例では、プーリ比１の巻き掛け状態において、金属チェーンの巻掛け円弧よりも内周側のシーブ面領域に、過剰な潤滑油を逃がして摩擦力を高める、円周条溝を形成するものである。このため、ピンの両端面がシーブ面の円周条溝に沿って溝方向に滑ると、ピンの両端面は円周条溝間の平面部に接触している実接触部のみが高い摩擦力を伴って連続して擦られることとなり、摩擦発熱が促進されて、摩耗や焼付きを生じ易く、耐久性を向上し難いという課題がある。
【０００８】
そこで本発明は、上記問題点に鑑みてなされたもので、摩耗や焼き付きを抑制して耐久性を向上するに好適なチェーン式無段変速機を提供することを目的とする。
【課題を解決するための手段】
【０００９】
本発明のチェーン式無段変速機は、チェーンと、このチェーンが巻き掛けられるＶ溝を有する一対のプーリとから成り、Ｖ溝を画成するこれらプーリのシーブ面の間隔を変更することにより、無段変速が可能である。本発明は、かかるチェーン式無段変速機において、チェーンが摩擦接触する対向シーブ面のそれぞれ、内周側から外周側に向かい螺旋状をなす複数の条溝が設けられることを特徴とする。
【発明の効果】
【００１０】
したがって、本発明では、螺旋状の条溝が、チェーンのピンの端面のプーリの内周側での円周方向の滑りとプーリの外周側での半径方向の滑りとの異なる滑り方向のいずれに対しても、斜め方向に配列される。このため、プーリの内外周側で異なる滑り方向に対して、ピンの端面が、擦れて発熱する条溝間の部位と潤滑剤により冷却される条溝の部位とを交互に移動する方向とできる。結果として、上記両者に対して摩耗を抑制できると共に焼付きを防止することができ、チェーン式無段変速機の耐久性を向上させることができる。
【図面の簡単な説明】
【００１１】
【図１】本発明を適用可能なチェーン式無段変速機を例示する概略側面図である。
【図２】図１に示したチェーン式無段変速機のセカンダリプーリ側における巻き掛け伝動部を示す詳細側面図である。
【図３】図２に示したセカンダリプーリ側における巻き掛け伝動部の詳細を示す縦断面図である。
【図４】図１〜３における金属チェーンのピンを示す全体斜視図である。
【図５】対向シーブの構造を示す断面図である。
【図６】シーブ面に設ける条溝の配置状態を示す正面図である。
【図７】図６のＡ−Ａ線に沿うシーブ面のテクスチャ構造を示す説明図である。
【図８】第２実施例のシーブ面のテクスチャ構造を示す説明図である。
【図９】プーリの弾性変形による半径方向の滑り状態を説明する説明図である。
【発明を実施するための形態】
【００１２】
以下、本発明のチェーン式無段変速機を実施形態に基づいて説明する。
【００１３】
図１〜３は、本発明を適用可能なチェーン式無段変速機を示し、図１はチェーン式無段変速機の概略側面図、図２，３はそれぞれ、セカンダリプーリ側における巻き掛け伝動部の詳細側面図および縦断面図である。
【００１４】
図１において、チェーン式無段変速機１０は、駆動側のプライマリプーリ１１と、従動側のセカンダリプーリ１２と、を備え、これらプライマリプーリ１１およびセカンダリプーリ１２間に金属チェーン１３を掛け渡して備える。チェーン式無段変速機１０は、金属チェーン１３を介しプライマリプーリ１１およびセカンダリプーリ１２間で動力伝達を行う。
【００１５】
プライマリプーリ１１およびセカンダリプーリ１２は、それぞれ、回転軸線方向に正対する対向シーブ１１ａ，１２ａ（図１では便宜上、手前側のシーブを除去して、向こう側のシーブのみを示す）を備える。そして、これら対向シーブ１１ａ間および対向シーブ１２ａ間にＶ溝を画成したＶ溝プーリとする（対向シーブ１２ａ間に画成されたＶ溝を図３に示す）。
【００１６】
金属チェーン１３は、図２，３に明示するごとく、多数のリンク板１４を順次、その両端におけるピン挿通孔１４ａ内のピン１５で数珠繋ぎに連結して連続円環状に構成している。そして、リンク板１４を図３のごとく、ピン１５に植設したリテーナピン１６でピン１５に対して抜け止めする。
【００１７】
ピン１５はそれぞれ、全体を図４に示すように湾曲背面１５ａを有し、この湾曲背面１５ａが背中合わせになるよう一対一組となして、リンク板１４の両端におけるピン挿通孔１４ａ内に挿通する。そしてピン１５の両端面１５ｂは、それぞれ図３に示すごとく、プライマリプーリ１１およびセカンダリプーリ１２の対向シーブ１１ａのＶ溝をなすシーブ面１１ｂおよび対向シーブ１２ａのＶ溝をなすシーブ面１２ｂと摩擦接触するよう傾斜させる。
【００１８】
かくして金属チェーン１３は、シーブ面領域においてピン１５を、プライマリプーリ１１の対向シーブ１１ａ間およびセカンダリプーリ１２の対向シーブ１２ａ間に挟圧され、プライマリプーリ１１およびセカンダリプーリ１２間での動力伝達を行う。
【００１９】
なお、プライマリプーリ１１の対向シーブ１１ａは、図５に示すように、その一方を固定シーブとし、他方を軸線方向にストローク制御可能な可動シーブとする。また、セカンダリプーリ１２の対向シーブ１２ａも、プライマリプーリ１１の可動シーブと同じ側のシーブ（図３における左側のシーブ）を固定シーブとし、プライマリプーリ１１の固定シーブと同じ側のシーブ（図３における右側のシーブ）を軸線方向にストローク制御可能な可動シーブとする。
【００２０】
そして、動力伝達中において、プライマリプーリ１１の可動シーブを固定シーブに対し接近させてＶ溝幅を狭くするのに同期して、セカンダリプーリ１２の可動シーブを固定シーブから遠ざけてＶ溝幅を広くすると、金属チェーン１３は、プライマリプーリ１１に対する巻き掛け径が増大されると共に、セカンダリプーリ１２に対する巻き掛け径が小さくされる。結果として、チェーン式無段変速機１０は、無段変速しつつ最ハイ変速比選択状態に向けてアップシフトされる。
【００２１】
逆に、プライマリプーリ１１の可動シーブを固定シーブから遠ざけてＶ溝幅を広くするのに同期して、セカンダリプーリ１２の可動シーブを固定シーブに対し接近させてＶ溝幅を狭くすると、金属チェーン１３は、プライマリプーリ１１に対する巻き掛け径が小さくされると共に、セカンダリプーリ１２に対する巻き掛け径が増大される。結果として、チェーン式無段変速機１０は、無段変速しつつ最ロー変速比選択状態に向けてダウンシフトされる。
【００２２】
上記したチェーン式無段変速機１０の伝動効率を向上させるためには、ピン１５の傾斜した両端面１５ｂと対向シーブ１１ａ，１２ａのシーブ面１１ｂ，１２ｂとの間における摩擦係数を大きくすることが肝要である。
【００２３】
しかし、チェーン式無段変速機１０では、プライマリプーリ１１およびセカンダリプーリ１２と金属チェーン１３との間における伝動部を潤滑する必要があり、ピン１５の傾斜した両端面１５ｂと対向シーブ１１ａ，１２ａのシーブ面１１ｂ，１２ｂとの間には油膜が介在する。
【００２４】
このため、金属チェーン１３の巻掛け半径が小さくなる内周側においては、巻掛け長さが短いため、対向シーブ１１ａ，１２ａを挟圧する推力が不足すると、ピン１５とシーブ面１１ｂ，１２ｂとの間に駆動方向の滑り（円周方向滑り）が発生し易く、摩耗や焼付き等の損傷を生じ、摺動損失が大きくなる。
【００２５】
また、金属チェーン１３の巻掛け半径が大きくなる外周側においては、図９に示すように、トルク増大に伴う対向シーブ１１ａ，１２ａの弾性変形（図９Ａ，Ｂの破線状態から実線状態への変形状態を参照）により、ピン１５とシーブ面１１ｂ，１２ｂとの間に駆動方向とは直交する半径方向の滑り（半径方向滑り）が発生し、摩耗や焼付き等の損傷を生じ、摺動損失が大きくなる。なお、対向シーブ１１ａ，１２ａの弾性変形が生じると、図９Ｃに示すように、金属チェーン１３はプーリ１１，１２のＶ溝間において、二点鎖線で示す理想チェーン巻き付き軌道に対して、実線で示す半径方向内方の実際のチェーン巻き付き軌道となる。そして、金属チェーン１３のプーリ１１，１２に対する入口の走行半径Ｒｉｎとプーリ１１，１２を離脱する出口の走行半径Ｒｏｕｔとの差分を「サグ」という。
【００２６】
そこで、本実施例においては、図６に示すように、プライマリプーリ１１およびセカンダリプーリ１２のシーブ面１１ｂ，１２ｂに、半径方向の内周側から外周側に向かって螺旋状をなす多数の条溝２１を全周に設ける。図７は、図６のＡ−Ａ線に沿うシーブ面１１ｂ，１２ｂの第１実施例のテクスチャ構造を示している。条溝２１は、シーブ面１１ｂ，１２ｂの内周側からシーブ面１１ｂ，１２ｂの外周縁に到るよう設けられ、シーブ面１１ｂ，１２ｂの円周方向には相互に等間隔に配置して設ける。なお、条溝２１は、幅および深さが、例えば、μｍオーダーの微小なものとし、例えば、砥石による螺旋状の研磨加工等により刻設することができる。
【００２７】
ところで、条溝の配列状態を特定しないが、一般的には、ピン１５の両端面１５ｂがプーリ１１，１２のシーブ面１１ｂ，１２ｂに設けた条溝に沿って滑ると、ピン１５の端面１５ｂは同じ部位がシーブ面１１ｂ，１２ｂの条溝間の凸部に沿って滑り移動する。このため、接触面間では油膜切れを発生しやすく、接触面の摩耗が促進されると共に焼き付きし易い特性を備える。しかし、ピン１５の端面１５ｂがプーリ１１，１２のシーブ面１１ｂ，１２ｂに設けた条溝を横切る方向に滑ると、ピン１５の端面１５ｂはシープ面の条溝間の凸部を横切る際には擦れて発熱するが、潤滑油を保持している条溝を横切る際には潤滑油により冷却される。即ち、ピン１５の端面１５ｂがプーリ１１，１２のシーブ面１１ｂ，１２ｂに設けた条溝を横切る方向に滑る場合には、ピン１５の端面１５ｂが擦れて発熱する部位と冷却される部位とを交互に移動することとなり、摩耗が抑制されると共に焼き付きし難い特性を備える。
【００２８】
また、前述したように、ピン１５の端面１５ｂは、プーリ１１，１２の内周側では巻掛け長さが短いために円周方向に滑りやすく、プーリ１１，１２の外周側では対向シーブ１１ａ，１２ａの変形により半径方向に滑りやすい特性を備える。
【００２９】
本実施形態においては、金属チェーン１３が摩擦接触する対向シーブ１１ａ，１２ａのシーブ面１１ｂ，１２ｂに設ける条溝２１を内周側から外周側に向かう螺旋状としている。即ち、螺旋状の条溝２１は、ピン１５の端面１５ｂのプーリ１１，１２の内周側での円周方向の滑りとプーリ１１，１２の外周側での半径方向の滑りとの異なる滑り方向のいずれに対しても、斜め方向に配列されることとなる。このため、プーリ１１，１２の内外周側で異なる滑り方向に対して、ピン１５の端面１５ｂが、擦れて発熱する条溝２１間の部位（図７の凸部２２参照）と潤滑剤により冷却される条溝２１の部位とを交互に移動する方向とできる。結果として、上記両者に対して摩耗を抑制できると共に焼付きを防止することができ、チェーン式無段変速機１０の耐久性を向上させることができる。
【００３０】
なお、図示の例では、螺旋状の条溝２１は、プーリ１１，１２のシーブ面１１ｂ，１２ｂの内周側と外周側とで、略同一の傾斜角度を備えるものについて説明している。しかし、プーリ１１，１２のシーブ面１１ｂ，１２ｂの内周側で半径方向側に傾けた角度とし、プーリ１１，１２のシーブ面１１ｂ，１２ｂの外周側で円周方向側に傾けた角度を持つようにしてもよい。このようにすると、ピン１５の端面１５ｂのプーリ１１，１２の内周側での円周方向の滑りとプーリ１１，１２の外周側での半径方向の滑りとに対して、より一層横切る方向に条溝２１を配置できる。このため、摩耗や焼付きをより一層防止することができ、チェーン式無段変速機１０の耐久性をより一層向上させることができる。
【００３１】
また、本実施形態では、相互に隣り合う条溝２１の間隔（左端の溝の左端から右隣の溝の左端までの距離、溝ピッチ）は、従来例における円周条溝の間隔よりも大きく設定している。即ち、従来例における円周条溝においては、相互に隣り合う円周条溝の間隔がピン１５の端面１５ｂのプーリ径方向の接触幅よりも小さくするようにしている。しかし、本実施形態では、相互に隣り合う条溝２１の間隔がピン１５の端面１５ｂのプーリ径方向の接触幅よりも大きくなるようにしている。
【００３２】
即ち、螺旋状の条溝２１の間隔が狭いと、ピン１５とシープ面の条溝２１間の狭い凸部２２との接触面間における潤滑油により低摩擦となる吸着膜の復帰ができず、両者の摩擦が大きくなり、温度上昇を招くこととなる。しかし、本実施形態では、螺旋状の条溝２１の間隔を従来技術における円周条溝の間隔よりも大きくしているため、ピン１５とシーブ面１１ｂ，１２ｂの条溝２１間の幅広い凸部２２との接触面間における潤滑油により低摩擦となる吸着膜の復帰が促進される。この結果、両者の摩擦を小さくでき、温度上昇を防止して、チェーン式無段変速機１０の耐久性を大きく向上させることができる。
【００３３】
また、本実施形態においては、螺旋状の条溝２１を加工する際においても、条溝２１の総溝体積は、従来例における円周条溝よりも少なくできる。しかも、条溝２１の間隔を従来技術における円周条溝の間隔よりも大きくしているため、さらに条溝２１の総溝体積を少なくすることができる。このため、条溝２１の加工時間を削減でき、加工コストを低減できる。
【００３４】
また、本実施形態においては、シーブ面１１ｂ，１２ｂに設ける条溝２１を螺旋状として、シープ面の外周縁まで延在され、条溝２１の外周側端部が開放状態となっている。このため、ピン１５とシープ面との摩擦接触に伴う摩耗粉や接触表面の損傷で生じる異物は、条溝２１内へ押し出されて条溝２１内の潤滑油に混入し、プーリ１１，１２の回転に伴う遠心力によりこれらの異物は潤滑油と共に外周側へと条溝２１を通して運ばれる。そして、異物は、条溝２１の外周端部から外部に排出させることができる。このため、これら異物が条溝２１内から再び条溝２１間の凸部２２に溢れだして、ピン１５の端面１５ｂとの間に噛み込むことにより生ずる異物混入による凝着摩耗を防止することができ、この点でも、チェーン式無段変速機１０の耐久性を向上させることができる。
【００３５】
図８は、本発明のチェーン式無段変速機の第２実施例のシーブ１１ａ，１２ａを、図６のＡ部に相当する箇所で拡大して示すテクスチャ構造を示している。本実施例においては、相互に隣り合う条溝２１間の凸部２２の形状を特に、以下のごときものとする。
【００３６】
つまり当該凸部２２に、螺旋状の条溝２１の開口縁へ向かうにつれ、条溝２１の底部に接近する曲面、例えば、クラウニング２３を設ける。クラウニング２３は、図示例では、凸部２２の平面部分と条溝２１の壁面とを、滑らかな曲率ｒの曲面により接続するようにしている。
【００３７】
かかる第２実施例の構成によれば、ピン１５の両端面１５ｂが図７に示すごとくシーブ１１ａ，１２ａのシーブ面１１ｂ，１２ｂに接するとき、条溝２１の開口縁にエッジ当たりするのを、凸部２２のクラウニング２３が緩和し得る。この結果、ピン１５の両端面１５ｂが当該エッジ当たりによる損傷を減少でき、ピン１５の端面１５ｂ・シーブ面１１ｂ，１２ｂの耐摩耗、焼付き性を向上させることができる。
【００３８】
本実施形態においては、以下に記載する効果を奏することができる。
【００３９】
（ア）金属チェーン１３が摩擦接触する対向シーブ１１ａ，１２ａのシーブ面１１ｂ，１２ｂのそれぞれ、内周側から外周側に向かい螺旋状をなす複数の条溝２１が設けられるようにしている。即ち、螺旋状の条溝２１は、ピン１５の端面１５ｂのプーリ１１，１２の内周側での円周方向の滑りとプーリ１１，１２の外周側での半径方向の滑りとの異なる滑り方向のいずれに対しても、斜め方向に配列されることとなる。このため、プーリ１１，１２の内外周側で異なる滑り方向に対して、ピン１５の端面１５ｂが、擦れて発熱する条溝２１間の部位と潤滑剤により冷却される条溝２１の部位とを交互に移動する方向とできる。結果として、上記両者に対して摩耗を抑制できると共に焼付きを防止することができ、チェーン式無段変速機１０の耐久性を向上させることができる。
【００４０】
（イ）隣接する条溝２１の間隔を、シーブ面１１ｂ，１２ｂに対する金属チェーン１３のプーリ径方向接触幅よりも大きく設定している。このため、ピン１５とシーブ面１１ｂ，１２ｂの条溝２１間の幅広い凸部２２との接触面間における潤滑油により低摩擦となる吸着膜の復帰が促進され、両者の摩擦を小さくでき、温度上昇を防止して、チェーン式無段変速機１０の耐久性を大きく向上させることができる。また、条溝２１の間隔を広くしているため、その加工時間を削減でき、加工コストを低減できる。
【００４１】
（ウ）隣接する条溝２１の間の凸部２２に、条溝２１の開口縁へ向かうにつれ、該条溝２１の底部に接近する曲面として、例えばクラウニング２３を設けている。このため、ピン１５の両端面１５ｂがシーブ１１ａ，１２ａのシーブ面１１ｂ，１２ｂに接するとき、条溝２１の開口縁にエッジ当たりするのを、凸部２２のクラウニング２３が緩和し得る。この結果、ピン１５の両端面１５ｂが当該エッジ当たりによる損傷を減少でき、ピン１５の端面１５ｂ・シーブ面１１ｂ，１２ｂの耐摩耗、焼付き性を向上させることができる。
【００４２】
（エ）条溝２１は、シーブ面１１ｂ，１２ｂの外周縁まで延在され、外周縁における端部が開放されている。このため、ピン１５の端面１５ｂとシーブ面１１ｂ，１２ｂとの接触面の摩耗や損傷で生じる異物を、遠心力の作用により条溝２１を通じて外部に排出させ、異物混入による凝着摩耗を防止し、チェーン式無段変速機１０の耐久性を向上させることができる。
【符号の説明】
【００４３】
１０  チェーン式無段変速機
１１  プライマリプーリ
１２  セカンダリプーリ
１１ａ，１２ａ  対向シーブ
１１ｂ，１２ｂ  シーブ面
１３  金属チェーン
１５  ピン
１５ｂ  端面
２１  条溝
２２  凸部
２３  クラウニング（曲面）
【図１】
2016008680.tif 000003
【図２】
2016008680.tif 000004
【図３】
2016008680.tif 000005
【図４】
2016008680.tif 000006
【図５】
2016008680.tif 000007
【図６】
2016008680.tif 000008
【図７】
2016008680.tif 000009
【図８】
2016008680.tif 000010
【図９】
2016008680.tif 000011